(57)【要約】【課題】  式典終了後も式典関連データを利用することのできる式典関連データ保存システム、サーバ、式典関連データ保存プログラムを提供する。【解決手段】  管理サーバ１１のＣＰＵ１２は、式典の準備段階のデータであるシミュレーション結果を第１顧客識別情報毎にシミュレーションデータ記憶部２１に、式典の招待客からの招待客メッセージを第２顧客識別情報毎に招待客データ記憶部２３に登録する。またＣＰＵ１２は、式典の最中のデータである披露宴データ、主催者メッセージ、新婚旅行報告を第１顧客識別情報毎に終了後データ２５に登録する。そして、式典終了後に、シミュレーション結果、招待客メッセージ、披露宴データ、主催者メッセージ、新婚旅行報告を式典関連データとして式典関連データ記憶部２７に登録し、その式典関連データを第１顧客識別情報毎にＣＤＲＯＭに出力する。【選択図】      図１
2007034529.tif 000002
【特許請求の範囲】
【請求項１】
サーバと少なくとも１つのクライアントとが接続され、式典に関連するデータを保存する式典関連データ保存システムであって、
前記クライアントが、
前記クライアントに固有の顧客識別情報を登録する顧客識別情報登録手段と、
前記顧客識別情報と前記式典の準備に関する準備情報とを前記サーバに送信する準備情報送信手段とを備え、
前記サーバが、
前記顧客識別情報と前記準備情報とを受信する準備情報受信手段と、
前記顧客識別情報毎に、前記準備情報を用いて前記式典をシミュレーションしてシミュレーション結果を生成する生成手段と、
前記シミュレーション結果を式典関連データとして前記顧客識別情報毎に外部記憶媒体に出力する第１出力手段と
を備えたことを特徴とする式典関連データ保存システム。
【請求項２】
サーバと少なくとも１つのクライアントとが接続され、式典に関連するデータを保存する式典関連データ保存システムであって、
前記クライアントが、
前記クライアントに固有の顧客識別情報を登録する顧客識別情報登録手段と、
前記顧客識別情報と前記式典の準備に関する準備情報とを前記サーバに送信する準備情報送信手段とを備え、
前記サーバが、
前記顧客識別情報と前記準備情報とを受信する準備情報受信手段と、
前記顧客識別情報毎に、前記準備情報を用いて前記式典をシミュレーションしてシミュレーション結果を生成する生成手段と、
前記シミュレーション結果を式典関連データとして前記顧客識別情報毎に式典関連データ記憶部に登録する第１登録手段と
を備えたことを特徴とする式典関連データ保存システム。
【請求項３】
サーバと少なくとも１つのクライアントとが接続され、式典に関連するデータを保存する式典関連データ保存システムであって、
前記クライアントが、
前記クライアントに固有の顧客識別情報を登録する顧客識別情報登録手段と、
前記式典以後の情報である式典以後情報を生成する式典以後情報生成手段と、
前記顧客識別情報と前記式典以後情報とを前記サーバに送信する式典以後情報送信手段とを備え、
前記サーバが、
前記顧客識別情報と前記式典以後情報とを受信する式典以後情報受信手段と、
前記式典以後情報を式典関連データとして前記顧客識別情報毎に外部記憶媒体に出力する第２出力手段と
を備えたことを特徴とする式典関連データ保存システム。
【請求項４】
サーバと少なくとも１つのクライアントとが接続され、式典に関連するデータを保存する式典関連データ保存システムであって、
前記クライアントが、
前記クライアントに固有の顧客識別情報を登録する顧客識別情報登録手段と、
前記式典以後の情報である式典以後情報を生成する式典以後情報生成手段と、
前記顧客識別情報と前記式典以後情報とを前記サーバに送信する式典以後情報送信手段とを備え、
前記サーバが、
前記顧客識別情報と前記式典以後情報とを受信する式典以後情報受信手段と、
前記式典以後情報を式典関連データとして前記顧客識別情報毎に式典関連データ記憶部に登録する第２登録手段と
を備えたことを特徴とする式典関連データ保存システム。
【請求項５】
少なくとも１つのクライアントと接続可能な、式典に関連するデータを保存するサーバであって、
前記クライアント毎に登録された固有の顧客識別情報と前記式典に関する準備情報とを受信する準備情報受信手段と、
前記顧客識別情報毎に、前記準備情報を用いて前記式典をシミュレーションしてシミュレーション結果を生成する生成手段と、
前記シミュレーション結果を式典関連データとして前記顧客識別情報毎に外部記憶媒体に出力する第１出力手段と
を備えたことを特徴とするサーバ。
【請求項６】
少なくとも１つのクライアントと接続可能な、式典に関連するデータを保存するサーバであって、
前記クライアント毎に登録された固有の顧客識別情報と前記式典に関する準備情報とを受信する準備情報受信手段と、
前記顧客識別情報毎に、前記準備情報を用いて前記式典をシミュレーションしてシミュレーション結果を生成する生成手段と、
前記シミュレーション結果を式典関連データとして前記顧客識別情報毎に式典関連データ記憶部に登録する第１登録手段と
を備えたことを特徴とするサーバ。
【請求項７】
少なくとも１つのクライアントと接続可能な、式典に関連するデータを保存するサーバであって、
前記クライアントに固有の顧客識別情報と前記式典以後の情報である式典以後情報とを受信する式典以後情報受信手段と、
前記式典以後情報を式典関連データとして前記顧客識別情報毎に外部記憶媒体に出力する第２出力手段と
を備えたことを特徴とするサーバ。
【請求項８】
少なくとも１つのクライアントと接続可能な、式典に関連するデータを保存するサーバであって、
前記クライアントに固有の顧客識別情報と前記式典以後の情報である式典以後情報とを受信する式典以後情報受信手段と、
前記式典以後情報を式典関連データとして前記顧客識別情報毎に式典関連データ記憶部に登録する第２登録手段と
を備えたことを特徴とするサーバ。
【請求項９】
少なくとも１つのクライアントと接続可能な、式典に関連するデータを保存するサーバを、
前記クライアント毎に登録された固有の顧客識別情報と前記式典に関する準備情報とを受信する準備情報受信手段と、
前記顧客識別情報毎に、前記準備情報を用いて前記式典をシミュレーションしてシミュレーション結果を生成する生成手段と、
前記シミュレーション結果を式典関連データとして前記顧客識別情報毎に外部記憶媒体に出力する第１出力手段と
して機能させることを特徴とする式典関連データ保存プログラム。
【発明の詳細な説明】
【技術分野】
【０００１】
本発明は、式典関連データ保存システム、サーバ、式典関連データ保存プログラムに関する。
【背景技術】
【０００２】
従来、結婚式を予定している新郎新婦は、式場選び、式の日取り、衣装、料理等、結婚式の当日までに多くのことを決定する際、式場に何度も出向いて、披露宴等の段取りの提案や料金見積を行うプランナーと長時間の打合せを行っており、多大な時間と手間を要していた。
【０００３】
これに対し、結婚式、披露宴のシミュレーションを疑似体験できる結婚式シミュレーション方法が提案されている（例えば、特許文献１）。この結婚式シミュレーション方法は、結婚式シミュレーション提供側が、予め披露宴会場、衣装等の各種素材情報の画像データ、音声データ及び各単価を登録する。そして、それら素材情報から新郎新婦が希望する素材を選択し、新郎新婦自身の写真を画像データとしてアップロードして登録すると、新郎新婦は、自分達の画像データと選択した各種素材との合成画像や動画を見ることができる。これにより、プランナーとの打合せ回数や手間を低減できていた。
【特許文献１】特開２００１−３５７１４８号公報
【発明の開示】
【発明が解決しようとする課題】
【０００４】
しかしながら、特許文献１に記載の結婚式シミュレーション方法では、シミュレーションによって新郎新婦が結婚式、披露宴を行う準備のサポートを行うことはできたが、そのシミュレーションの結果や、結婚式当日の模様を結婚式や披露宴の終了後も保存しておくことができなかった。そのため、そのシミュレーション結果を結婚式や披露宴の終了後に新郎新婦が見たり、やむをえず欠席した知人等が見たり、これから結婚する知人等に新郎新婦が見せて同じ会場で結婚式や披露宴を行うことを勧めたりすることができなかった。
【０００５】
本発明は、上記問題を解決するためになされたものであり、その目的は、式典終了後も式典関連データを利用することのできる式典関連データ保存システム、サーバ、式典関連データ保存プログラムを提供することにある。
【課題を解決するための手段】
【０００６】
上記問題点を解決するために、本発明の式典関連データ保存システムは、サーバと少なくとも１つのクライアントとが接続され、式典に関連するデータを保存する式典関連データ保存システムであって、前記クライアントが、前記クライアントに固有の顧客識別情報を登録する顧客識別情報登録手段と、前記顧客識別情報と前記式典の準備に関する準備情報とを前記サーバに送信する準備情報送信手段とを備え、前記サーバが、前記顧客識別情報と前記準備情報とを受信する準備情報受信手段と、前記顧客識別情報毎に、前記準備情報を用いて前記式典をシミュレーションしてシミュレーション結果を生成する生成手段と、前記シミュレーション結果を式典関連データとして前記顧客識別情報毎に外部記憶媒体に出力する第１出力手段とを備えた。
【０００７】
この発明によれば、クライアントが、クライアントに固有の顧客識別情報と式典の準備に関する準備情報とをサーバに送信する。そして、サーバが顧客識別情報毎に、受信した準備情報を用いて式典をシミュレーションしてシミュレーション結果を生成し、そのシミュレーション結果を式典関連データとして顧客識別情報毎に外部記憶媒体に出力する。こ
の結果、式典関連データが外部記憶媒体に出力されるため、例えば、式典終了後にサーバから式典関連データが削除されたときであっても、式典の主催者やその知人が、長期に渡ってその外部記憶媒体を介して式典関連データを閲覧することができる。従って、例えば、式典の主催者の知人にその外部記憶媒体を介して式典関連データを見せることによって、その知人を新たな顧客として獲得することができる。また、その知人が、その式典関連データを参考にして、より良い式典にしようとすることで、式典に要する準備の単価の増加を見込むことができる。
【０００８】
本発明の式典関連データ保存システムは、サーバと少なくとも１つのクライアントとが接続され、式典に関連するデータを保存する式典関連データ保存システムであって、前記クライアントが、前記クライアントに固有の顧客識別情報を登録する顧客識別情報登録手段と、前記顧客識別情報と前記式典の準備に関する準備情報とを前記サーバに送信する準備情報送信手段とを備え、前記サーバが、前記顧客識別情報と前記準備情報とを受信する準備情報受信手段と、前記顧客識別情報毎に、前記準備情報を用いて前記式典をシミュレーションしてシミュレーション結果を生成する生成手段と、前記シミュレーション結果を式典関連データとして前記顧客識別情報毎に式典関連データ記憶部に登録する第１登録手段とを備えた。
【０００９】
この発明によれば、クライアントが、クライアントに固有の顧客識別情報と式典の準備に関する準備情報とをサーバに送信し、サーバが、顧客識別情報毎に、受信した準備情報を用いて式典をシミュレーションしてシミュレーション結果を生成し、そのシミュレーション結果を式典関連データとして顧客識別情報毎に式典関連データ記憶部に登録する。この結果、式典関連データが式典関連データ記憶部に登録されるため、例えば、式典の主催者が新たにシミュレーション結果を式典関連データとして纏めて閲覧可能にすることなく、主催者やその知人がサーバにアクセスするだけで、長期に渡って式典関連データを閲覧することができる。従って、例えば、式典の主催者の知人に式典関連データ記憶部に登録された式典関連データを見せることによって、その知人を新たな顧客として獲得することができる。また、その知人が、その式典関連データを参考にして、より良い式典にしようとすることで、式典に要する準備の単価の増加を見込むことができる。
【００１０】
本発明の式典関連データ保存システムは、サーバと少なくとも１つのクライアントとが接続され、式典に関連するデータを保存する式典関連データ保存システムであって、前記クライアントが、前記クライアントに固有の顧客識別情報を登録する顧客識別情報登録手段と、前記式典以後の情報である式典以後情報を生成する式典以後情報生成手段と、前記顧客識別情報と前記式典以後情報とを前記サーバに送信する式典以後情報送信手段とを備え、前記サーバが、前記顧客識別情報と前記式典以後情報とを受信する式典以後情報受信手段と、前記式典以後情報を式典関連データとして前記顧客識別情報毎に外部記憶媒体に出力する第２出力手段とを備えた。
【００１１】
この発明によれば、クライアントが、顧客識別情報と式典以後の情報である式典以後情報とをサーバに送信し、サーバが、顧客識別情報毎に受信した式典以後情報を、式典関連データとして顧客識別情報毎に外部記憶媒体に出力する。この結果、式典関連データが外部記憶媒体に出力されるため、例えば、式典終了後にサーバから式典関連データが削除されたときであっても、式典の主催者やその知人が、長期に渡ってその外部記憶媒体を介して式典関連データを閲覧することができる。従って、例えば、式典の主催者の知人や式典に参加できなかった知人等に外部記憶媒体に出力された式典関連データを見せることによって、長期に渡って容易に式典の報告をすることができる。
【００１２】
本発明の式典関連データ保存システムは、サーバと少なくとも１つのクライアントとが接続され、式典に関連するデータを保存する式典関連データ保存システムであって、前記
クライアントが、前記クライアントに固有の顧客識別情報を登録する顧客識別情報登録手段と、前記式典以後の情報である式典以後情報を生成する式典以後情報生成手段と、前記顧客識別情報と前記式典以後情報とを前記サーバに送信する式典以後情報送信手段とを備え、前記サーバが、前記顧客識別情報と前記式典以後情報とを受信する式典以後情報受信手段と、前記式典以後情報を式典関連データとして前記顧客識別情報毎に式典関連データ記憶部に登録する第２登録手段とを備えた。
【００１３】
この発明によれば、クライアントが、顧客識別情報と式典以後の情報である式典以後情報とをサーバに送信し、サーバが、顧客識別情報毎に受信した式典以後情報を、式典関連データとして顧客識別情報毎に式典関連データ記憶部に登録する。この結果、式典関連データが式典関連データ記憶部に登録されるため、例えば、式典の主催者が新たに式典以後情報を式典関連データとして纏めて閲覧可能にすることなく、主催者やその知人が、サーバにアクセスするだけで、長期に渡って式典関連データを閲覧することができる。従って、例えば、式典の主催者の知人や式典に参加できなかった知人等に式典関連データ記憶部に登録された式典関連データを見せることによって、長期に渡って容易に式典の報告をすることができる。
【００１４】
本発明のサーバは、少なくとも１つのクライアントと接続可能な、式典に関連するデータを保存するサーバであって、前記クライアント毎に登録された固有の顧客識別情報と前記式典に関する準備情報とを受信する準備情報受信手段と、前記顧客識別情報毎に、前記準備情報を用いて前記式典をシミュレーションしてシミュレーション結果を生成する生成手段と、前記シミュレーション結果を式典関連データとして前記顧客識別情報毎に外部記憶媒体に出力する第１出力手段とを備えた。
【００１５】
また、本発明の式典関連データ保存プログラムは、少なくとも１つのクライアントと接続可能な、式典に関連するデータを保存するサーバを、前記クライアント毎に登録された固有の顧客識別情報と前記式典に関する準備情報とを受信する準備情報受信手段と、前記顧客識別情報毎に、前記準備情報を用いて前記式典をシミュレーションしてシミュレーション結果を生成する生成手段と、前記シミュレーション結果を式典関連データとして前記顧客識別情報毎に外部記憶媒体に出力する第１出力手段として機能させる。
【００１６】
これらの発明によれば、サーバは、顧客識別情報毎に、受信した準備情報を用いて式典をシミュレーションしてシミュレーション結果を生成し、そのシミュレーション結果を式典関連データとして顧客識別情報毎に外部記憶媒体に出力する。この結果、式典関連データが外部記憶媒体に出力されるため、例えば、式典終了後にサーバから式典関連データが削除されたときであっても、式典の主催者やその知人が、長期に渡ってその外部記憶媒体を介して式典関連データを閲覧することができる。従って、例えば、式典の主催者の知人にその外部記憶媒体を介して式典関連データを見せることによって、その知人を新たな顧客として獲得することができる。また、その知人が、その式典関連データを参考にして、より良い式典にしようとすることで、式典に要する準備の単価の増加を見込むことができる。
【００１７】
本発明のサーバは、少なくとも１つのクライアントと接続可能な、式典に関連するデータを保存するサーバであって、前記クライアント毎に登録された固有の顧客識別情報と前記式典に関する準備情報とを受信する準備情報受信手段と、前記顧客識別情報毎に、前記準備情報を用いて前記式典をシミュレーションしてシミュレーション結果を生成する生成手段と、前記シミュレーション結果を式典関連データとして前記顧客識別情報毎に式典関連データ記憶部に登録する第１登録手段とを備えた。
【００１８】
この発明によれば、サーバは、顧客識別情報毎に、受信した準備情報を用いて式典をシ
ミュレーションしてシミュレーション結果を生成し、そのシミュレーション結果を式典関連データとして顧客識別情報毎に式典関連データ記憶部に登録する。この結果、式典関連データが式典関連データ記憶部に登録されるため、例えば、式典の主催者が新たにシミュレーション結果を式典関連データとして纏めて閲覧可能にすることなく、式典の主催者やその知人がサーバにアクセスするだけで、長期に渡って式典関連データを閲覧することができる。従って、例えば、式典の主催者の知人に式典関連データ記憶部に登録された式典関連データを見せることによって、その知人を新たな顧客として獲得することができる。また、その知人が、その式典関連データを参考にして、より良い式典にしようとすることで、式典に要する準備の単価の増加を見込むことができる。
【００１９】
本発明のサーバは、少なくとも１つのクライアントと接続可能な、式典に関連するデータを保存するサーバであって、前記クライアントに固有の顧客識別情報と前記式典以後の情報である式典以後情報とを受信する式典以後情報受信手段と、前記式典以後情報を式典関連データとして前記顧客識別情報毎に外部記憶媒体に出力する第２出力手段とを備えた。
【００２０】
この発明によれば、サーバが、顧客識別情報毎に受信した式典以後情報を、式典関連データとして顧客識別情報毎に外部記憶媒体に出力する。この結果、式典関連データが外部記憶媒体に出力されるため、例えば、式典終了後にサーバから式典関連データが削除されたときであっても、式典の主催者やその知人が、長期に渡ってその外部記憶媒体を介して式典関連データを閲覧することができる。従って、例えば、式典の主催者の知人や式典に参加できなかった知人等に外部記憶媒体に出力された式典関連データを見せることによって、長期に渡って容易に式典の報告をすることができる。
【００２１】
本発明のサーバは、少なくとも１つのクライアントと接続可能な、式典に関連するデータを保存するサーバであって、前記クライアントに固有の顧客識別情報と前記式典以後の情報である式典以後情報とを受信する式典以後情報受信手段と、前記式典以後情報を式典関連データとして前記顧客識別情報毎に式典関連データ記憶部に登録する第２登録手段とを備えた。
【００２２】
この発明によれば、サーバが、顧客識別情報毎に受信した式典以後情報を、式典関連データとして顧客識別情報毎に式典関連データ記憶部に登録する。この結果、式典関連データが式典関連データ記憶部に登録されるため、例えば、式典の主催者が新たに式典以後情報を式典関連データとして纏めて閲覧可能にすることなく、主催者やその知人が、サーバにアクセスするだけで、長期に渡って式典関連データを閲覧することができる。従って、例えば、式典の主催者の知人や式典に参加できなかった知人等に式典関連データ記憶部に登録された式典関連データを見せることによって、長期に渡って容易に式典の報告をすることができる。
【発明を実施するための最良の形態】
【００２３】
以下、本発明を具体化した一実施形態を図１〜図９に従って説明する。本実施形態では、式典関連データ保存システムを、例えば、式典としての結婚式や披露宴（以下、披露宴と言う）を行う新郎新婦が披露宴に関連するデータをサーバに保存し、その保存したデータを外部記憶媒体としてのＣＤＲＯＭに出力（保存）する場合について説明する。
【００２４】
図１に示すように、管理サーバ１１は、披露宴のための各種情報の送受信及び各記憶部に格納されるデータの読み出し、書き込み等を行うＣＰＵ１２を有する。ＣＰＵ１２は、インターネット等のネットワークＩを介してクライアントとしての少なくとも１台の主催者コンピュータ１３、クライアントとしての複数の招待客コンピュータ１５に接続されている。管理サーバ１１は、本実施形態では、ネットワークＩを通じて披露宴のシミュレー
ションを行うブライダルシミュレータＢＳ（図５参照）やそれに付随するサービスを新郎新婦等の顧客に利用させる結婚サービス業者が所有するサーバである。主催者コンピュータ１３は、新郎新婦がそれぞれ所有する少なくとも１台の端末である。そして、招待客コンピュータ１５は、新郎新婦が披露宴に招待する招待客がそれぞれ所有する端末である。なお、図１では、説明の便宜上、招待客コンピュータ１５は２台しか図示していないが、実際はそれ以上の招待客コンピュータ１５が管理サーバ１１と接続されている。また、主催者コンピュータ１３についても同様に２台しか図示していないが、実際はそれ以上の主催者コンピュータ１３が管理サーバ１１と接続されていてもよい。
【００２５】
管理サーバ１１は、ＣＰＵ１２等の制御部、図示しないＲＡＭ及びＲＯＭ等の記憶部、及び通信手段等を備えている。このＣＰＵ１２は、ＲＯＭに記憶された各種プログラムに従って、主催者コンピュータ１３及び招待客コンピュータ１５と各種データの送受信を行う。また、本実施形態では、ＣＰＵ１２は、管理サーバ１１が備えている各記憶部に記憶されたデータをＣＤＲＯＭに出力する。また、管理サーバ１１は、結婚サービス業者が新郎新婦用、招待客用、それぞれに開設したホームページのデータを記憶している。すなわち、本実施形態では、このＣＰＵ１２（管理サーバ１１）が、準備情報受信手段、生成手段、第１出力手段、式典以後情報受信手段、第２出力手段等として機能する。
【００２６】
図２に示すように、主催者コンピュータ１３は、ＣＰＵ１３ａ等の制御部、ＲＡＭ１３ｂ及びＲＯＭ１３ｃ等の記憶部、及び通信手段１３ｄ等を備えている。この主催者コンピュータ１３は、ＲＯＭ１３ｃに記憶された各種プログラムに従って、通信手段１３ｄを介してＣＰＵ１２と各種データの送受信を行う。すなわち、本実施形態では、このＣＰＵ１２（管理サーバ１１）が、顧客識別情報登録手段、準備情報送信手段、式典以後情報生成手段、式典以後情報送信手段等として機能する。また、ＲＯＭ１３ｃには、Ｗｅｂブラウザーが記憶されており、このＷｅｂブラウザーを介して、後述するブライダルシミュレータＢＳを操作可能となっている。
【００２７】
また、図１及び図２に示すように、主催者コンピュータ１３は、キーボードＫ１、マウスＭ１等の入力手段を備えており、ブライダルシミュレータＢＳ、結婚サービス業者が開設したホームページへの入力等を行うための各種操作信号をこの入力手段を介して主催者コンピュータ１３に入力する。また、主催者コンピュータ１３はモニタＤ１を備えている。そのモニタＤ１は、例えば、画像を表示するＬＣＤ（Liquid Crystal Display）等であって、モニタＤ１の画面上にＣＰＵ１２から送信された各種データ等を出力表示する。
【００２８】
図３に示すように、招待客コンピュータ１５は、ＣＰＵ１５ａ等の制御部、ＲＡＭ１５ｂ及びＲＯＭ１５ｃ等の記憶部、及び通信手段１５ｄ等を備えている。この招待客コンピュータ１５は、ＲＯＭ１５ｃに記憶された各種プログラムに従って、通信手段１５ｄを介してＣＰＵ１２及び他の招待客コンピュータ１５同士と各種データの送受信を行う。
【００２９】
また、図１及び図３に示すように、招待客コンピュータ１５は、キーボードＫ２、マウスＭ２等の入力手段を備えており、結婚サービス業者が開設したホームページへの入力等を行うための各種操作信号をこの入力手段を介して招待客コンピュータ１５に入力する。また、招待客コンピュータ１５はモニタＤ２を備えている。そのモニタＤ２は、例えば、画像を表示するＬＣＤ（Liquid Crystal Display）等であって、モニタＤ２の画面上にＣＰＵ１２から送信された各種データ等を出力表示する。
【００３０】
管理サーバ１１は、図１に示すように、シミュレーションデータ記憶部２１、招待客データ記憶部２３、終了後データ記憶部２５、式典関連データ記憶部２７を有する。
図４に示すように、シミュレーションデータ記憶部２１はシミュレーションデータ２１ａを備えている。シミュレーションデータ２１ａには、各新郎新婦がそれぞれの主催者コ
ンピュータ１３を用いて行ったブライダルシミュレーションの結果が、新郎新婦毎に記憶されている。
【００３１】
図４に示すように、シミュレーションデータ２１ａは、顧客識別情報としての第１顧客識別情報３１、第１顧客データ３３、式典関連データとしてのシミュレーション結果３５を備えている。第１顧客識別情報３１は、新郎新婦毎に与えられる固有の識別情報であって、ＣＰＵ１２から送信されて登録される。第１顧客データ３３は、新郎新婦に関する個人情報であって、住所、電話番号、電子メールアドレス、生年月日、勤務先等である。シミュレーション結果３５は、新郎新婦がブライダルシミュレーションを実行した後のシミュレーション結果である。
【００３２】
ここで、ブライダルシミュレーションとは、図５に示すように、新郎新婦がブライダルシミュレータＢＳで披露宴を擬似的に行うことであって、披露宴の計画、金額の見積もり等をサポートする。すなわち、管理サーバ１１の図示しないＲＯＭには、披露宴会場、テーブルクロス、装花、ウェディングケーキ等の披露宴に用いられる各素材の画像、金額等の情報が記憶されている。そして、新郎新婦は、主催者コンピュータ１３のＷｅｂブラウザーを起動してブライダルシミュレータＢＳをモニタＤ１に表示し、ブライダルシミュレータＢＳ上でそれら各素材の画像や情報を基に主催者コンピュータ１３のマウスＭ１やキーボードＫ１等を介して素材を選択する。
【００３３】
例えば、図５において、ブライダルシミュレータＢＳの会場表示領域Ｅ１には披露宴会場の見取り図が、会場表示領域Ｅ２にはその披露宴会場の画像が表示されるので、新郎新婦は、会場表示領域Ｅ１，Ｅ２を参考にして会場表示領域Ｅ１の選択ボタンＢ１をマウスＭ１で押下することによって、準備情報としての好みの披露宴会場を選択する。また、ブライダルシミュレータＢＳの素材表示領域Ｅ３には、披露宴会場に配置される各素材が表示される。そして、新郎新婦は、素材表示領域Ｅ３の選択ボタンＢ２をマウスＭ１で押下して選択したカテゴリに応じて表示される各素材の画像を参考にして、素材表示領域Ｅ３の選択ボタンＢ３をマウスＭ１で押下することによって、準備情報としての好みの素材を選択する。
【００３４】
このように新郎新婦が主催者コンピュータ１３を介して選択した各素材の金額が見積もり表示領域Ｅ４に表示される。また、選択した各素材の画像が会場表示領域Ｅ２に披露宴会場の画像と共に表示される。新郎新婦は、これら見積もり表示領域Ｅ４に表示された金額や会場表示領域Ｅ２に表示された画像を基に、何度でも各素材を選択し直して好みの披露宴をシミュレーションすることができる。
【００３５】
その他、ブライダルシミュレータＢＳは、招待客へ発送する招待状の作成、出席者の席次表の作成、席札やウェルカムボードの作成、披露宴までのスケジュール管理をする。これにより、新郎新婦が式場に出向いて披露宴のセッティング等を相談するのに要する時間、その他披露宴開催に要する準備等に要する時間を低減することができる。
【００３６】
図６に示すように、招待客データ記憶部２３は、招待客データ２３ａを備えている。招待客データ２３ａには、結婚サービス業者が管理サーバ１１上に開設した招待客用ホームページに、招待客がそれぞれの招待客コンピュータ１５を介して入力した招待客に関する情報や、前記招待客用ホームページの掲示板に入力した新郎新婦に対するメッセージ等が各招待客の参加する披露宴（新郎新婦）毎に記憶されている。また、この招待客用ホームページには、この招待客データ２３ａの他に、新郎新婦または結婚サービス業者が予め管理サーバ１１に記憶させた会場案内、新郎新婦のプロフィール等が掲載されている。
【００３７】
招待客データ２３ａは、第１顧客識別情報３１、顧客識別情報としての第２顧客識別情
報４１、第２顧客データ４３、式典以後情報としての招待客メッセージ４５を備えている。第２顧客識別情報４１は、披露宴（新郎新婦）毎に与えられる固有の識別情報であって、ＣＰＵ１２から送信されて登録される。なお、この第２顧客識別情報４１は、招待客全員に対して共通の識別情報である。第２顧客データ４３は、各招待客に関する個人情報であって、住所、電話番号、電子メールアドレス、生年月日、勤務先等が招待客毎に記憶されている。招待客メッセージ４５は、各招待客が前記掲示板に入力した新郎新婦へのお祝いメッセージ、招待客同士の情報交換、新郎新婦と招待客とが過去に一緒に撮影したことのある写真のディジタル静止画像や動画像等の電子データ等である。
【００３８】
図７に示すように、終了後データ記憶部２５は、終了後データ２５ａを備えている。終了後データ２５ａには、披露宴時に撮影された写真のディジタル静止画像や動画像、披露宴の感想、新郎新婦からのお礼のメッセージ、新婚旅行の報告等であって、結婚サービス業者が新郎新婦、招待客用に開設した終了後ホームページにアップロードされたデータが新郎新婦毎（披露宴毎）に登録されている。
【００３９】
終了後データ２５ａは、第１顧客識別情報３１、第２顧客識別情報４１、披露宴データ５１、主催者メッセージ５３、新婚旅行報告５５を備えている。式典以後情報としての披露宴データ５１は、披露宴時に撮影された写真のディジタル静止画像や動画像、披露宴の感想等であって、招待客がそれぞれの招待客コンピュータ１５を介して、または新郎新婦が主催者コンピュータ１３を介して管理サーバ１１上に開設された終了後ホームページにアップロードされている。式典以後情報としての主催者メッセージ５３は、新郎新婦から招待客へのお礼等であって、新郎新婦がそれぞれの主催者コンピュータ１３を介して終了後ホームページにアップロードする。また、主催者メッセージ５３は、新郎新婦が主催者コンピュータ１３を介して招待客データ記憶部２３の第２顧客データ４３を参照して各招待客の招待客コンピュータ１５の電子メールアドレスに送信してもよい。式典以後情報としての新婚旅行報告５５は、新婚旅行の報告データであって、新婚旅行時に撮影された写真のディジタル静止画像、動画像やメッセージ等である。この新婚旅行報告５５も、新郎新婦がそれぞれの主催者コンピュータ１３を介して終了後ホームページにアップロードされる。
【００４０】
図８に示すように、式典関連データ記憶部２７は、式典関連データ２７ａを備えている。式典関連データ２７ａは、披露宴の準備段階、披露宴当日、披露宴後のそれぞれのデータを新郎新婦毎（披露宴毎）に記憶している。式典関連データ２７ａは、第１顧客識別情報３１、シミュレーション結果３５、招待客メッセージ４５、披露宴データ５１、主催者メッセージ５３、新婚旅行報告５５を備えている。すなわち、披露宴の準備段階のデータとしてシミュレーション結果３５が、披露宴当日のデータとして招待客メッセージ４５が、披露宴後のデータとして、披露宴データ５１、主催者メッセージ５３、新婚旅行報告５５が登録されている。
【００４１】
次に、式典関連データを生成する式典関連データ生成処理を図９に従って説明する。まず、ＣＰＵ１２は、シミュレーション結果３５を生成する（ステップＳ１−１０）。すなわち、新郎新婦が主催者コンピュータ１３を介してブライダルシミュレータＢＳ（Ｗｅｂブラウザー）を起動し、主催者コンピュータ１３（マウスＭ１やキーボードＫ１等の入力手段）を用いて所定の入力や選択等を行って、披露宴のシミュレーションを行うことによりシミュレーション結果３５を生成する。そして、その生成されたシミュレーション結果３５は、管理サーバ１１のシミュレーションデータ記憶部２１に登録される（ステップＳ１−１５）。
【００４２】
次に、招待客コンピュータ１５は、招待客メッセージ４５を生成する（ステップＳ１−２０）。すなわち、招待客に向けて予め管理サーバ１１上に開設された招待客用ホームペ
ージ上に、各招待客が招待客コンピュータ１５（マウスＭ２やキーボードＫ２等の入力手段）を用いて新郎新婦へのお祝いメッセージ、写真の電子データ等を入力して生成される。そして、各招待客は、招待客コンピュータ１５を使ってそれら生成された招待客メッセージ４５を管理サーバ１１に送信する。送信された招待客メッセージ４５は、管理サーバ１１のＣＰＵ１２を介して管理サーバ１１の招待客データ記憶部２３に登録される（ステップＳ１−２５）。
【００４３】
次に、ＣＰＵ１２は、終了後データ２５ａを生成する（ステップＳ１−３０）。すなわち、予め管理サーバ１１上に開設された終了後ホームページに招待客がそれぞれの招待客コンピュータ１５を介して披露宴データ５１をアップロードしたり、新郎新婦が主催者コンピュータ１３を介して披露宴データ５１をアップロードしたりする。また、同ホームページに新郎新婦が招待客への主催者メッセージ５３、新婚旅行報告５５等を主催者コンピュータ１３を介してアップロードする。そして、ＣＰＵ１２は、それら生成された終了後データ２５ａを管理サーバ１１の終了後データ記憶部２５に登録する（ステップＳ１−３５）。
【００４４】
次に、ＣＰＵ１２は、式典関連データ２７ａを生成する（ステップＳ１−４０）。すなわち、ＣＰＵ１２は、主催者コンピュータ１３から出力されたデータ出力依頼信号を受信すると、シミュレーション結果３５、招待客メッセージ４５、披露宴データ５１、主催者メッセージ５３、新婚旅行報告５５を式典関連データ２７ａとして第１顧客識別情報３１毎に式典関連データ記憶部２７に登録する（ステップＳ１−４５）。そして、ＣＰＵ１２は、この式典関連データ２７ａをＣＤＲＯＭに出力し（ステップＳ１−５０）、この式典関連データ生成処理を終了する。
【００４５】
この式典関連データ生成処理によって、披露宴の準備段階のみならず、披露宴時の写真や映像等のデータ、披露宴後に知人等からホームページにアップロードされた画像データやメッセージ、新郎新婦の新婚旅行報告等、披露宴に付随する全てのデータがＣＤＲＯＭに出力される。この結果、例えば、管理サーバ１１の式典関連データ記憶部２７から式典関連データ２７ａが削除されたときであっても、新郎新婦は、それら披露宴に付随する全てのデータを自身の手元に長期に渡り保存して閲覧したり、知人に見せたりすることができる。
【００４６】
上記実施形態によれば、以下のような効果を得ることができる。
（１）  本実施形態によれば、シミュレーション結果３５を式典関連データ２７ａとしてＣＤＲＯＭに出力した。この結果、例えば、管理サーバ１１から式典関連データ２７ａが削除された後であっても、新郎新婦が、披露宴終了後にＣＤＲＯＭによって式典関連データ２７ａを見ることができる。従って、例えば、新郎新婦が、式典関連データ２７ａをこれから結婚する新郎新婦の知人等に見せることにより、同じ会場で結婚式や披露宴を行うことを勧めることができることから、結婚サービス業者が新たな顧客を獲得することができる。また、その知人が、同じ結婚サービス業者を利用したときに、自身の披露宴を準備するのに要する時間を低減することができる。さらに、結婚サービス業者が、その知人の披露宴の準備をサポートするのに要する時間を低減することができる。さらに又、その知人が同じ結婚サービス業者を利用したときに、結婚サービス業者がその知人に、一層、質の高いサービスを勧める機会を得ることができる。
【００４７】
（２）  本実施形態によれば、シミュレーション結果３５、招待客メッセージ４５、披露宴データ５１、主催者メッセージ５３、新婚旅行報告５５を式典関連データ２７ａとしてＣＤＲＯＭに出力した。この結果、例えば、管理サーバ１１から式典関連データ２７ａが削除された後であっても、このＣＤＲＯＭによって、新郎新婦が、披露宴終了後、長期間経過したときにも式典関連データ２７ａを見ることができる。従って、新郎新婦が披露
宴のみならず、披露宴の準備段階から、披露宴後の新婚旅行のデータまでも長期間に渡り、容易に見ることができる。
【００４８】
（３）  本実施形態によれば、シミュレーション結果３５、招待客メッセージ４５、披露宴データ５１、主催者メッセージ５３、新婚旅行報告５５等の披露宴の前後に関する全てのデータを式典関連データ２７ａとしてＣＤＲＯＭに出力した。この結果、例えば、管理サーバ１１から式典関連データ２７ａが削除された後であっても、披露宴のみならず、披露宴の準備段階から披露宴後の新婚旅行のデータまでも、新郎新婦が、長期に渡り何度も式典関連データ２７ａを見ることができる。
【００４９】
（４）  本実施形態によれば、シミュレーション結果３５、招待客メッセージ４５、披露宴データ５１、主催者メッセージ５３、新婚旅行報告５５を式典関連データ２７ａとしてＣＤＲＯＭに出力した。この結果、例えば、管理サーバ１１から式典関連データ２７ａが削除された後であっても、やむをえず欠席した知人や、新郎新婦が海外挙式等を行った際等に招待できなかった新郎新婦の知人に、そのＣＤＲＯＭによって式典関連データ２７ａを容易に見せることができる。従って、新郎新婦が、披露宴終了後、長期間経過後であっても容易に詳細な結婚の報告をすることができる。
【００５０】
（５）  本実施形態によれば、シミュレーション結果３５、招待客メッセージ４５、披露宴データ５１、主催者メッセージ５３、新婚旅行報告５５を式典関連データ２７ａとしてＣＤＲＯＭに出力した。この結果、例えば、管理サーバ１１から式典関連データ２７ａが削除された後であっても、結婚式に関する全てのデータを纏めて保存することができる。従って、新郎新婦のデータの管理に要する手間を軽減することができる。
【００５１】
（６）  本実施形態によれば、シミュレーション結果３５、招待客メッセージ４５、披露宴データ５１、主催者メッセージ５３、新婚旅行報告５５を式典関連データ２７ａとしてＣＤＲＯＭに出力した。この結果、式典関連データ２７ａを電子データとして長期にわたって保存しておくときであっても、式典関連データ２７ａが劣化することを低減することができる。
【００５２】
（７）  本実施形態によれば、披露宴データ５１、新婚旅行報告５５を式典関連データ２７ａとしてＣＤＲＯＭに出力した。この結果、新郎新婦が容易に式典関連データ２７ａを加工することができるので、例えば、年賀状等に披露宴で撮影した写真の一部等を載せることができる。従って、新郎新婦が容易に式典関連データ２７ａを活用することができる。
【００５３】
（８）  本実施形態によれば、披露宴データ５１を式典関連データ２７ａとしてＣＤＲＯＭに出力した。この結果、例えば、新郎新婦が親族や知人等に披露宴の写真等を送付する際にも、電子メールに添付したり、ホームページにアップロードしたりすることができる。従って、新郎新婦が披露宴等の写真を送付する手間を軽減することができる。
【００５４】
（９）  本実施形態によれば、披露宴データ５１を式典関連データ２７ａとしてＣＤＲＯＭに出力した。この結果、例えば、招待客が撮影した披露宴の写真や、招待客のみ写っている写真も、専属のカメラマンが撮影した新郎新婦の写真と同様に保存することができる。従って、一層、臨場感溢れる披露宴データ５１を長期に渡り保存し、何度も見ることができる。
【００５５】
なお、上記実施形態は以下のように変更してもよい。
○上記実施形態では、ＣＰＵ１２が、式典関連データ２７ａをＣＤＲＯＭに出力したが、ＣＤＲＯＭ以外のＤＶＤＲＯＭ、ＨＤＤ等であってもよく、外部記憶媒体としての電子
記憶媒体に保存できればよい。
【００５６】
○上記実施形態では、ＣＰＵ１２が、式典関連データ２７ａをＣＤＲＯＭに出力したが、ＣＤＲＯＭ等の電子記録媒体に限らず、レーザプリンタ、インクジェット式プリンタ、熱転写式プリンタ等のプリンタを用いて紙等の電子記憶媒体以外の外部記憶媒体としての記録媒体に印刷して保存してもよい。これにより、例えば、アルバム形式で式典関連データ２７ａを保存することによって、式典関連データ２７ａの一覧性を向上させることができる。従って、新郎新婦やその知人等が式典関連データ２７ａを一層見やすくなる。
【００５７】
○上記実施形態では、ＣＰＵ１２が、式典関連データ２７ａをＣＤＲＯＭに出力したが、これを、外部記憶媒体としての主催者コンピュータ１３のＲＯＭ１３ｃに出力してもよい。これにより、例えば、新郎新婦が主催者コンピュータ１３上に設けたホームページに式典関連データ２７ａをアップロードすることにより、新郎新婦のみならず、その知人も式典関連データ２７ａを一層見やすくなる。
【００５８】
○上記実施形態では、ＣＰＵ１２が、式典関連データ２７ａをＣＤＲＯＭに出力したが、ＣＤＲＯＭに出力しなくても、ＣＰＵ１２が管理サーバ１１の式典関連データ記憶部２７から式典関連データ２７ａを削除せず、新郎新婦やその知人が長期に渡りその式典関連データ２７ａを閲覧可能であればよい。これにより、例えば、新郎新婦が披露宴の準備段階のデータや披露宴以後のデータを新たに式典関連データ２７ａとして纏めて閲覧可能にすることなく、新郎新婦やその知人等が管理サーバ１１にアクセスするだけで、長期に渡って式典関連データ２７ａを閲覧することができる。このとき、ＣＰＵ１２（管理サーバ１１）は、さらに、第１登録手段、第２登録手段等として機能する。
【００５９】
○上記実施形態では、式典関連データ２７ａは、シミュレーション結果３５、招待客メッセージ４５、披露宴データ５１、主催者メッセージ５３、新婚旅行報告５５であった。これを、式典関連データ２７ａは、シミュレーション結果３５、招待客メッセージ４５、披露宴データ５１、主催者メッセージ５３、新婚旅行報告５５の少なくとも１つであってもよい。このとき、式典関連データ２７ａとして保存するデータは、式典関連データ２７ａを生成する際に新郎新婦が主催者コンピュータ１３の入力手段を介して選択してもよい。また、予め、式典の準備をする前に、新郎新婦が式典関連データ２７ａとして保存するデータを選択してもよい。
【００６０】
○上記実施形態では、ＣＰＵ１２は、主催者コンピュータ１３から出力されたデータ出力依頼信号を受信したとき、式典関連データ２７ａを生成し、その式典関連データ２７ａを式典関連データ記憶部２７に登録し、その式典関連データ２７ａをＣＤＲＯＭに出力した。これを、披露宴終了後、所定の時間経過後に、ＣＰＵ１２が、自動的に式典関連データ２７ａを生成し、その式典関連データ２７ａを式典関連データ記憶部２７に登録し、その式典関連データ２７ａをＣＤＲＯＭに出力してもよい。
【００６１】
○上記実施形態では、ＣＰＵ１２は、式典関連データ２７ａを式典関連データ記憶部２７に登録したが、式典関連データ記憶部２７に登録せず、その式典関連データ２７ａを直接ＣＤＲＯＭに出力してもよい。
【００６２】
○上記実施形態では、ＣＰＵ１２は、シミュレーション結果３５、招待客メッセージ４５、披露宴データ５１、主催者メッセージ５３、新婚旅行報告５５から式典関連データ２７ａを生成した。これを、式典関連データ２７ａを生成せず、ＣＰＵ１２が、シミュレーション結果３５、招待客メッセージ４５、披露宴データ５１、主催者メッセージ５３、新婚旅行報告５５を直接ＣＤＲＯＭに出力してもよい。
【００６３】
○上記実施形態では、新郎新婦が使用する主催者コンピュータ１３、招待客が使用する招待客コンピュータ１５は、いずれもコンピュータであった。これを、コンピュータに限らず、携帯電話、ＰＤＡ等でもよく、各種データを入力するための入力手段、各種データを閲覧するための出力手段及び各種データを送受信するための通信手段等を有していればよい。
【００６４】
○上記実施形態では、管理サーバ１１と主催者コンピュータ１３と招待客コンピュータ１５とがそれぞれインターネット等のネットワークＩで接続されていた。このネットワークＩは、インターネットに限らず、社内ＬＡＮ（Local Area Network）等で接続されていてもよい。
【００６５】
○上記実施形態では、式典は結婚式及び披露宴、式典関連データ２７ａは結婚式及び披露宴に関連するデータであった。これに限らず、式典は、葬式、法事、同窓会、宴会等でもよく、予め主催者が招待客をもてなすために何らかの準備をするものであればよい。このとき、式典関連データ２７ａは、シミュレーション結果３５、招待客メッセージ４５、披露宴データ５１、主催者メッセージ５３、新婚旅行報告５５でなくてもよく、式典の準備段階に要したデータ、式典の招待客のデータ、式典の最中のデータ、式典後のデータのうち少なくとも１つであればよい。
【図面の簡単な説明】
【００６６】
【図１】本実施形態の式典関連データ保存システム概略図。
【図２】同じく、主催者コンピュータの概略図。
【図３】同じく、招待客コンピュータの概略図。
【図４】同じく、シミュレーションデータ記憶部の説明図。
【図５】同じく、ブライダルシミュレータの画面図。
【図６】同じく、招待客データ記憶部の説明図。
【図７】同じく、終了後データ記憶部の説明図。
【図８】同じく、式典関連データ記憶部の説明図。
【図９】同じく、式典関連データ生成処理の処理手順の説明図。
【符号の説明】
【００６７】
１１…管理サーバ、１２…ＣＰＵ、１３…主催者コンピュータ、１５…招待客コンピュータ、２１…シミュレーションデータ記憶部、２３…招待客データ記憶部、２５…終了後データ記憶部、２７…式典関連データ記憶部、２７ａ…式典関連データ、３１…第１顧客識別情報、３５…シミュレーション結果、４１…第２顧客識別情報、４５…招待客メッセージ、５１…披露宴データ、５３…主催者メッセージ、５５…新婚旅行報告、ＢＳ…ブライダルシミュレータ、Ｉ…ネットワーク。
【図１】
2007034529.tif 000003
【図２】
2007034529.tif 000004
【図３】
2007034529.tif 000005
【図４】
2007034529.tif 000006
【図５】
2007034529.tif 000007
【図６】
2007034529.tif 000008
【図７】
2007034529.tif 000009
【図８】
2007034529.tif 000010
【図９】
2007034529.tif 000011